(57)【特許請求の範囲】
【請求項１】
防護区画に設置された火災感知器を感知器回線に接続して前記防護区画の火災を監視する火災報知設備と、
前記防護区画に配置されたスプリンクラーヘッドと、
前記スプリンクラーヘッドへの消火用水の供給と停止を制御する制御弁と、
前記スプリンクラーヘッドの作動による消火用水の流水を検知する流水検知装置と、
前記火災報知設備から火災信号を移報する移報線を接続すると共に移報線断線検出回路を備え、前記火災信号、流水検知信号及び移報線断線検出信号により前記制御弁を制御して消火用水の供給を制御するスプリンクラー制御盤と、
を備えたスプリンクラー消火設備に於いて、
前記防護区画の外に設けた点検スイッチと、
前記スプリンクラー制御盤に移報線を接続していない状態で前記点検スイッチを操作した際に、前記移報線断線検出回路の機能を解除して前記制御弁を閉状態に制御する点検制御部と、
を設けたことを特徴とするスプリンクラー消火設備。
【請求項２】
請求項１記載のスプリンクラー消火設備に於いて、前記点検制御部は、前記制御弁を閉状態に制御した後に前記点検スイッチを元の状態に戻した際に、前記制御弁を開状態に制御して前記移報線断線検出回路の機能を回復させることを特徴とするスプリンクラー消火設備。
【請求項３】
請求項１記載のスプリンクラー消火設備に於いて、前記スプリンクラー制御盤は、定常監視状態においては、前記制御弁を開状態として前記スプリンクラーヘッドに消火用水を供給し、前記流水検知装置により流水が検知された際に、前記火災報知設備からの火災信号又は障害信号もしくは前記移報線断線検出回路の断線検出信号があれば前記制御弁の開状態を維持し、火災信号、障害信号又は断線検出信号のいずれもがなければ前記制御弁を閉状態に制御して消火用水の供給を停止することを特徴とするスプリンクラー消火設備。
【発明の詳細な説明】
【０００１】
【発明の属する技術分野】
本発明は、火災発生時にスプリンクラーヘッドから消火用水を放水するスプリンクラー消火設備に関し、特に集合住宅の各住戸を一つの防護区画として放水を制御するスプリンクラー消火設備に関する。
【０００２】
【従来の技術】
従来、この種のスプリンクラー消火設備としては例えば図４のものがある（特開平１０−５３６５号）。
【０００３】
図４において、建物の地下階等には消火ポンプ１０１及びモータ１０２が設置され、ポンプ制御盤１１５によるモータ１０２の駆動で消火ポンプ１０１を運転し、貯水槽１０３の消火用水を汲み上げ、建物の垂直方向に配管した給水本管１０４に加圧供給している。建物の屋上には高架水槽１０５が設置され、給水本管１０４に常時、消火用水を充満させている。
【０００４】
また給水本管１０４の管内圧力を規定圧に保持するための消火ポンプ１０１の運転のため、圧力タンク１１３が分岐接続され、給水本管１０４の管内圧力を導入して内部空気を圧縮している。また圧力タンク１１３には圧力スイッチ１１４が設けられ、スプリンクラーヘッド１１０の作動により管内圧力が規定圧力以下に低下すると圧力スイッチ１１４がオンし、このオンを検出することでポンプ制御盤１１５がモータ１０２を駆動して消火ポンプ１０１を運転する。
【０００５】
給水本管１０４からは建物の階ごとに分岐管１０６が流水検知装置１０８を介して引き出され、流水検知装置１０８の二次側の分岐管には閉鎖型のスプリンクラーヘッド１１０が接続されている。また流水検知装置１０８の一次側に制御弁１０７を設けている。
【０００６】
制御弁１０７は例えばモータ駆動により開閉制御できる電動弁であり、定常監視状態で開状態に維持されている。このため給水本管１０４の管内圧力は、分岐管１０６の開状態にある制御弁１０７及び流水検知装置１０８を通って二次側のスプリンクラーヘッド１１０に供給され、従来の湿式スプリンクラー設備と同じ加圧水の供給状態となっている。
【０００７】
流水検知装置１０８は流水検知スイッチ１０９を備えており、火災によりスプリンクラーヘッド１１０が作動して消火用水を放水したときの水流による弁開放又は圧力低下等を検出して流水検知スイッチ１０９をオンし、流水検知信号を出力する。
【０００８】
分岐管１０６の端末側には末端試験弁１１１とオリフィス１１２が接続され、更に圧力計１４２を設けている。点検時に末端試験弁１１１を開くと、オリフィス１１２で決まるスプリンクラーヘッド１台の作動に相当する水量が流れ、これにより擬似的に流水検知装置１０８を作動させてポンプ運転等の試験動作を行わせることができる。
【０００９】
流水検知装置１０８に設けた流水検知スイッチ１０９からの流水検知信号は、消火用中継器１１７を経由してスプリンクラー制御盤１１６に与えられている。またスプリンクラー制御盤１１６からの制御弁１０７に対する制御信号Ｅ３も、消火用中継器１１７を経由して出力される。
【００１０】
一方、スプリンクラーヘッド１１０の防護区画には火災感知器１１８が設置される。火災感知器１１８は火報用中継器１２０からの感知器回線に接続されており、火災を検出して火災検出信号を、火報用中継器１２０を介して火災受信盤１２１に出力し、火災が判断される。火災受信盤１２１で火災が判断されると、スプリンクラー制御盤１１６に対し火災信号Ｅ２０が移報信号として送出される。
【００１１】
また感知器回線が断線した場合などには、火災受信盤１２１からスプリンクラー制御盤１１６に障害信号Ｅ３０が送出される。
【００１２】
スプリンクラー制御盤１１６は、定常監視状態において制御弁１０７を開状態としてスプリンクラーヘッド１１０に消火用水を供給し、流水検知装置１０８により流水が検知された際に、火災受信盤１２１から火災信号があれば制御弁１０７の開状態を維持し、作動したスプリンクラーヘッドから放水を継続させる。
【００１３】
また流水検知装置１０８により流水が検知された際に、火災信号がなければ制御弁１０７を閉状態として消火用水の供給を停止し、その後に火災信号があれば制御弁１０７を開制御して放水を再開し、火災信号がなければスプリンクラーヘッドの誤作動とみなして放水を禁止し、水損の被害を小さくする。
【００１４】
【発明が解決しようとする課題】
このような水損防止機能を備えたスプリンクラー消火設備を集合住宅の各住戸を防護区画として設置する場合、スプリンクラー消火設備の施工は、住宅情報盤及び火災感知器等からなる住戸内の火災報知設備とは、別々の工程で進められることがある。
【００１５】
このようにスプリンクラー消火設備と火災報知設備が別々の工程で施工された場合、どちらかの設備の施工が先に完了することがほとんどであるが、従来のスプリンクラー消火設備では住戸内の火災報知設備の施工が完了してからでないと制御弁の機能の点検ができない。このためスプリンクラー消火設備の施工が先に完了した場合、火災報知設備の施工完了を待たなければならず、スプリンクラー消火設備の施工期間を長くする要因となっている。
【００１６】
即ち、図４のスプリンクラー消火設備は、スプリンクラーヘッド１１０が作動して流水検知信号Ｅ１が得られた場合に、火災感知器１１８が発報していなければ、スプリンクラーヘッド１１０の誤作動と判断して制御弁１０７を閉制御している。また火災受信盤１２１からスプリンクラー制御盤１１６に火災信号Ｅ３０を移報する移報線が断線している場合は、火災又はその可能性が高いと判断し、制御弁１０７を開状態に維持し、放水を継続する。
【００１７】
このため火災報知設備が完成してなければ、火災受信盤１２１からの移報線が断線していると同じ状態となっているため、制御弁１０７を開状態に維持する制御条件が成立し、点検時に末端試験弁１１１を開いてスプリンクラーヘッド１１０が動作したと同じ状態にして流水検知信号Ｅ１を発生させても制御弁１０７の閉制御ができず、制御弁の機能が点検できないという問題がある。
【００１８】
本発明は、火災報知設備が完了していなくとも制御弁の機能点検を可能とするスプリンクラー消火設備を提供することを目的とする。
【００１９】
【課題を解決するための手段】
この目的を達成するため本発明は次のように構成する。まず本発明のスプリンクラー消火設備は、防護区画に設置された火災感知器を感知器回線に接続して防護区画の火災を監視する火災報知設備と、同じ防護区画に配置されたスプリンクラーヘッドと、スプリンクラーヘッドへの消火用水の供給と停止を制御する制御弁と、スプリンクラーヘッドの作動による消火用水の流水を検知する流水検知装置と、火災報知設備から火災信号を移報する移報線を接続すると共に移報線断線検出回路を設け、火災信号、流水検知信号及び移報線断線検出信号により制御弁を制御して消火用水の供給を制御するスプリンクラー制御盤とを備える。
【００２０】
このようなスプリクラー消火設備につき本発明は、防護区画の外に設けた点検スイッチと、スプリンクラー制御盤に移報線を接続していない状態で点検スイッチを操作した際に、移報線断線検出回路の機能を解除して制御弁を閉状態に制御する点検制御部とを設けたことを特徴とする。
【００２１】
このため火災報知設備の施工が完了せずに移報線が接続されていない状態でスプリンクラー消火設備の施工が完了した場合でも、点検スイッチの操作で擬似的に移報線の接続状態が作り出され、このため制御弁を開状態に制御する制御条件が解除され、擬似的な流水検知信号の受信によって制御弁の閉制御ができ、制御弁の機能を点検することができる。
【００２２】
また点検制御部は、制御弁を閉状態に制御した後に点検スイッチを元の状態に戻した際に、制御弁を開状態に制御して移報線断線検出回路の機能を回復させる。更に、スプリンクラー制御盤は、定常監視状態においては、制御弁を開状態としてスプリンクラーヘッドに消火用水を供給し、流水検知装置により流水が検知された際に、火災報知設備からの火災信号又は障害信号もしくは移報線断線検出回路の断線検出信号があれば制御弁の開状態を維持し、火災信号、障害信号又は断線検出信号のいずれもがなれば制御弁を閉状態に制御して消火用水の供給を停止する。
【００２３】
【発明の実施の形態】
図１は本発明によるスプリンクラー消火設備の説明図である。
【００２４】
図１において、本発明のスプリンクラー消火設備は集合住宅に設置した例であり、住戸を１つの防護区画として火災監視を行うため、住戸内には住戸用受信機として機能する火災受信盤１を設け、火災受信盤１から中継器２を介して引き出された感知器回線３に火災感知器４を接続している。
【００２５】
また住戸を１つの防護区画として消火を行うため、住戸内にはスプリンクラーヘッド６が設置されている。スプリンクラーヘッド６は閉鎖型であり、火災による熱を受けた際に内部の金属を溶融させることなどによって自動的に開口して消火用水を散水する。
【００２６】
スプリンクラーヘッド６は分岐管７を介して給水本管８に接続されており、給水本管８及び分岐管７を介してスプリンクラーヘッド６に消火用水が供給される。給水本管８の一端は建物の地下室などに引き込まれ、消火ポンプ９を介して貯水槽１０に連結されている。
【００２７】
また給水本管８には圧力タンク１１が分岐接続され、圧力タンクによって給水本管を加圧することにより管内圧力を規定値に保持している。圧力タンク１１には圧力スイッチ１２が設けられ、スプリンクラーヘッド６が作動して給水本管８の管内圧力が所定値以下に低下したことが圧力スイッチ１２で検出されると、ポンプ制御盤１３によりモータ１４を駆動して消火ポンプ９を運転し、貯水槽１０の消火用水を給水本管８に継続して加圧供給する。
【００２８】
消火ポンプ９が運転されている際にはポンプ運転信号がポンプ制御盤１３から住棟受信盤１５に出力される。また給水本管８の他端は建屋屋上などの高所に設置した高架水槽１９に引き込まれ、高架水槽１９からの消火用水で給水本管８に消火用水を常時充満させている。
【００２９】
給水本管８から分岐される分岐管７には流水検知装置１６と制御弁１８が設けられる。制御弁１８は分岐管７の開閉を行うことにより、スプリンクラーヘッド６に対する消火用水の供給と停止を制御し、スプリンクラー制御盤５の制御によって駆動される電動弁で構成される。
【００３０】
この制御弁１８は定常監視状態においては常に開放状態に維持されている。このため、定常監視状態においては消火用水は制御弁１８を介してスプリンクラーヘッド６に供給されており、湿式スプリンクラー設備と同じ加圧消火用水の供給状態となっている。
【００３１】
制御弁１８にはバイパス弁１８ａが並列に接続されており、制御弁１８が制御不能となった場合にはバイパス弁１８ａの手動操作による開閉で消火用水の供給と停止ができる。バイパス弁１８ａは定常監視状態では閉じられている。
【００３２】
制御弁１８の二次側には圧力スイッチ２０が設けられ、スプリンクラーヘッド６側の分岐管７の圧力が規定圧力以上のときオンとなる圧力検知信号Ｅｐをスプリンクラー制御盤５に出力する。
【００３３】
流水検知装置１６は、スプリンクラーヘッド６が火災による熱を受けて作動したときの消火用水の散水によって発生する流水で弁を開いてオンし、流水検知装置１６からオンとなった流水検知信号Ｅａをスプリンクラー制御盤５に出力する。
【００３４】
分岐管７の末端側には末端試験弁２７、オリフィス２８が設けられる。末端試験弁２７を手動で開くことにより、オリフィス２８で決定される量の消火用水を分岐管７に流し、流水検知装置１６を擬似的に作動させて消火ポンプ９の試験運転を行ったり、制御弁１８の開閉制御を確認するための点検制御を行うことができる。この末端試験弁２７はスプリンクラー制御盤５と同様、住戸外に設置されている。
【００３５】
スプリンクラー制御盤５に対しては火災受信盤１より、移報線３０，３１により火災信号Ｅｆと障害信号Ｅｔが移報信号として供給されている。火災受信盤１は、火災感知器４で火災検出が行われたときに感知器回線３を低インピーダンスに短絡することにより流れる発報電流を受信し、火災受信盤１で火災警報を行い、図示しない戸外表示器に表示すると共に住棟受信盤１５に移報して表示する。
【００３６】
更に火災受信盤１は感知器回線３の断線を監視しており、断線を検出するとスプリンクラー制御盤５に対し移報線３１によって障害信号Ｅｔを移報する。この断線監視のため、火災受信盤１から引き出された感知器回線３はスプリンクラーヘッド５に引き込まれ、その手前で終端抵抗２５を接続し、スプリンクラー制御盤５内に、後の説明で明らかにする火災受信盤１の機能が正常であるか否かを確認するために擬似的に断線状態を作り出す擬似障害発生スイッチ２６を設けている。
【００３７】
スプリンクラー制御盤５には制御回路２１、緊急停止スイッチ２３、移報線断線検出回路３２、更に本発明による火災受信盤１からの移報線３０が接続されていない状態で制御弁１８を点検制御するための点検スイッチ２４と、この点検スイッチ２４を操作した際に制御弁１８を閉制御する制御回路２１の点検制御部２２を設けている。
【００３８】
スプリンクラー制御盤５は、流水検知装置１６からの流水検知信号Ｅａ、圧力スイッチ２０からの圧力検知信号Ｅｐ、火災受信盤からの火災信号Ｅｆと障害信号Ｅｔ、更に移報線断線検出回路３２からの断線検出信号を入力しており、これらの信号に基づいて制御弁１８の制御を行う。
【００３９】
ここでスプリンクラー制御盤５による制御弁１８の制御の概略は次のようになる。まず定常監視状態においては制御弁１８を開状態とし、スプリンクラーヘッド６に消火用水を供給している。火災によるスプリンクラーヘッド６の作動で消火用水が散水されると、流水検知装置１６からの流水検知信号Ｅａがオンとなって制御回路２１に供給され、このとき火災受信盤１からの火災信号Ｅｆまたは障害信号Ｅｔがあり、更に断線検出信号がなければ、制御弁１８の開制御を維持する。
【００４０】
一方、流水検知信号Ｅａがオンとなったときに火災受信盤１からの火災信号Ｅｆ、障害信号Ｅｔ、又は移報線断線検出回路３２による断線検出信号のいずれもないときには、スプリンクラーヘッド６の誤動作が考えられるので制御弁１８を閉状態に制御して消火用水の供給を停止する。
【００４１】
制御回路２１に設けた点検制御部２２は、スプリンクラー制御盤５を含むスプリンクラー消火設備側の施工が先に完了し、住戸内の火災受信盤１を含む火災報知設備の施工が完了せずに、火災受信盤１から火災信号Ｅｆの移報線３０及び障害信号線Ｅｔの移報線３１の接続が行われていない状態で、制御弁１８の動作を点検するために使用する。
【００４２】
即ち、移報線３０がスプリンクラー制御盤５に接続されていない状態は移報線３０が断線したと同じ状態であり、このため移報線断線検出回路３２が断線検出信号を制御回路２１に出力している。このため、例えば末端試験弁２７を開いて流水検知信号Ｅａが得られ、火災信号Ｅｆが得られない状態にあっても、断線検出信号によって制御回路２１による制御弁１８の閉制御は基本的にはできない。
【００４３】
しかしながら、本発明にあっては、点検スイッチ２４と点検制御部２２を設けたことで、火災信号Ｅｆの移報線３０が接続されていない断線状態にあっても制御弁１８の閉制御を行うことができる。
【００４４】
このようなスプリンクラー制御盤５による制御弁１８の点検制御を含む制御処理を図２のフローチャートを参照して説明すると次のようになる。なお図２の説明にあっては、流水検知信号、火災信号、障害信号、圧力検知信号、断線検出信号の有無をチェックして制御を行っているが、この場合の信号ありは信号のオンを意味し、また信号なしは信号のオフを意味する。
【００４５】
図２において、スプリンクラー制御盤５は、まずステップＳ１で点検スイッチ２４がオンしたか否かチェックしており、通常時は点検スイッチ２４はオフであることから、ステップＳ３以降の通常の制御弁１８の制御処理に進む。一方、火災受信盤１からの移報線３０を接続していない状態で制御弁１８の機能を点検する場合には、点検スイッチ２４をオンすることでステップＳ１からステップＳ２に進んで制御弁１８の点検制御が行われる。このステップＳ２の制御弁の点検制御は、図３にサブルーチンとして詳細に示す。
【００４６】
まずステップＳ３以降の通常時の制御弁１８の制御処理を説明する。スプリンクラー制御盤５は、ステップＳ３で流水検知装置１６からの流水検知信号Ｅａの有無をチェックしている。定常監視状態では流水検知信号Ｅａはないことから、ステップＳ４で火災受信盤からの火災信号Ｅｆの有無をチェックするが、火災信号Ｅｆはないことから、ステップＳ８で圧力スイッチ２０からの圧力検知信号Ｅｐがあることを判別し、ステップＳ５で制御弁１８の開状態を維持する。
【００４７】
住戸内で火災が発生した場合には、火災受信盤１からの火災信号Ｅｆの移報に基づきステップＳ４で火災信号ありを判別し、ステップＳ５で制御弁１８の開状態を維持する。
【００４８】
火災に対し消火が確認されると、スプリンクラー制御盤５に設けた緊急停止スイッチ２３が押されることから、ステップＳ６で緊急停止スイッチのオンを判別すると、ステップＳ７に進み、制御弁１８を閉状態に制御し、スプリンクラーヘッド６からの散水を停止する。
【００４９】
またスプリンクラーヘッド６からの散水中に火災受信盤１から移報している火災信号Ｅｆがなくなった場合にも、ステップＳ９で火災信号なしを判別して、ステップＳ１０に進み、障害信号Ｅｔもしくは移報線断線検出信号もないことを判別し、この場合にはステップＳ１１でスプリンクラー制御盤５に設けている擬似障害発生スイッチ２６をパルス的に開閉動作するスイッチ駆動を行った後、ステップＳ１２で火災受信盤１よりパルス的な障害信号Ｅｔが得られるかどうかチェックする。
【００５０】
火災受信盤１からパルス的な障害信号Ｅｔが得られれば、ステップＳ７に進み、制御弁１８を閉状態に制御して放水を停止する。ここでステップＳ１２でパルス的な障害信号Ｅｔが得られない異常は、火災受信盤１の障害の他に障害信号Ｅｔの移報線３１の断線も含まれる。
【００５１】
ステップＳ８において、圧力検知信号Ｅｐの有無を確認するのは制御弁１８のハンチング動作を防止するためである。即ちスプリンクラーヘッド６が破損などにより誤動作した場合において、火災信号Ｅｆが移報されていないことを条件に制御弁１８を閉じると、破損したスプリンクラーヘッド６からの散水を停止することができ、このとき流水検知装置１６からの流水検知信号Ｅｆがオフとなる。
【００５２】
これは定常監視状態と同じであるため、復旧条件が整ったものと判断して制御弁を開状態に制御すると、破損したスプリンクラーヘッド６から再び散水が開始される。このため制御弁１８の開放と閉鎖の繰り返しにより、破損したスプリンクラーヘッド６から断続的に散水が行われるようになる。
【００５３】
このような弊害を防止するため、ステップＳ８で圧力検知信号Ｅｐありが判別された場合は、定常監視状態もしくは散水後にスプリンクラーヘッドが交換された復旧条件が整ったものと判断し、ステップＳ５で制御弁１８を閉制御する。
【００５４】
一方、ステップＳ８で圧力検知信号Ｅｐがなかった場合には、スプリンクラーヘッドの作動後の火災信号Ｅｆを待機している状態、もしくはスプリンクラーヘッド６が破損している状態と判断し、ステップＳ７に進んで制御弁１８を閉状態に制御する。これによって、破損したスプリンクラーヘッド６からの散水を制御弁１８の閉制御で確実に停止することができる。
【００５５】
次に火災感知器４の火災検出が行われる前にスプリンクラーヘッドが先に作動した場合の制御を説明する。火災発生により火災受信盤１からの火災信号Ｅｆが移報される前にスプリンクラーヘッド６が作動し、流水検知装置１６からオンとなった流水検知信号Ｅａが出力され、ステップＳ３で流水検知信号ありが判別されると、ステップＳ９に進んで火災信号Ｅｆを判別するが、火災信号がないことから、ステップＳ１０に進み、障害信号Ｅｔ及び移報線断線検出信号を判別する。
【００５６】
ここで障害信号Ｅｔも移報線断線検出信号もなかった場合には、ステップＳ１１に進み、スプリンクラー制御盤５に引き込んだ感知器回線３の終端に設けている擬似障害発生スイッチ２６をパルス的に開閉し、感知器回線３の擬似的な断線状態を短時間作り出す。
【００５７】
このため、火災受信盤１が正常に機能し且つ障害信号Ｅｔの移報線３１に断線がなければ、パルス的な障害信号Ｅｔが移報され、ステップＳ１２でパルス的な障害信号ありが判別されると、火災受信盤１は正常に機能しているものと判断し、ステップＳ７に進んで制御弁１８を閉状態に制御する。
【００５８】
これによって、スプリンクラーヘッド６が火災によらず破損などにより誤動作する場合の散水を停止する。
【００５９】
一方、擬似障害発生スイッチ２６のパルス開閉によるスイッチ駆動を行ってもステップＳ１２で火災受信盤１からのパルス的な障害信号Ｅｔが移報されなかった場合には、火災受信盤１が故障しているかあるいは障害信号Ｅｔの移報線３１が断線しているものと判断し、この場合にはステップＳ５に進み、制御弁１８の開状態を維持し、作動したスプリンクラーヘッド６からの消火用水の散水を継続させる。
【００６０】
スプリンクラーヘッド６が作動した後の流水検知信号Ｅａに基づいてステップＳ７で制御弁１８を閉状態に制御すると、閉制御の途中で流水検知信号Ｅａがなくなり、ステップＳ３，Ｓ４，Ｓ８，Ｓ７の処理を繰り返す。
【００６１】
この状態で火災受信盤１から火災信号Ｅｆの移報があると、ステップＳ４で火災信号ありが判別され、ステップＳ５で制御弁１８を開状態に制御し、作動したスプリンクラーヘッド６から消火用水の散水を開始させる。
【００６２】
次に、図１において火災受信盤を含む火災報知設備の施工が完了していない状態でスプリンクラー制御盤５を含むスプリンクラー消火設備に設けている制御弁１８の機能点検の動作を、図３のフローチャートを参照して説明する。
【００６３】
スプリンクラー制御盤５に設けている点検スイッチ２４をオン操作すると、図２のステップＳ１で点検スイッチ２４のオンが判別され、ステップＳ２の制御弁１８の点検制御が行われる。この点検制御の詳細は図３のフローチャートに示すようになる。
【００６４】
図３の制御弁点検制御にあっては、ステップＳ１で移報線断線検出の有無をチェックしている。火災報知設備の施工が完了していない状態にあっては、移報線３０のスプリンクラー制御盤５に対する接続がないことから、移報線断線検出回路３２が移報線の断線を検出している。
【００６５】
このためステップＳ２で移報線断線検出ありが判別され、ステップＳ２に進み、移報線断線検出機能を解除する。即ち移報線３０が接続されないことで、移報線断線検出回路３２が断線検出を行っていても点検制御部２２にあっては点検スイッチ２４のオン操作に基づき移報線断線検出の機能を無視する。なおステップＳ１で移報線断線検出がなければ、ステップＳ２の処理はスキップする。
【００６６】
次にステップＳ３で制御弁１８が開放状態か否かチェックする。制御弁１８が開放状態にあれば、ステップＳ４で制御弁１８の閉制御を行う。ステップＳ３で制御弁が閉状態にあれば、ステップＳ４をスキップする。
【００６７】
続いてステップＳ５で点検スイッチ２４のオフをチェックする。点検スイッチ２４のオンで制御弁１８の閉制御が確認できたならば、点検を終了するために点検スイッチ２４を元のオフ状態に戻す。この点検スイッチのオフがステップＳ５で判別されると、ステップＳ６に進み、点検のために閉状態とした制御弁１８を開制御する。更にステップＳ７で、ステップＳ２で設定した移報線断線検出機能を回復させる。
【００６８】
このような制御弁１８の点検制御の機能により、防護区画となる住戸外でスプリンクラー制御盤５、制御弁１８、流水検知装置１６を含むスプリンクラー消火設備の施工が先に完了した場合、住戸内に設けている火災受信盤１を含む火災報知設備の施工完了を待つことなく、スプリンクラー制御盤５の点検スイッチ２４によって制御弁１８の閉制御して機能を確認でき、これによってスプリンクラー消火設備側の施工を完了することができる。
【００６９】
なお上記の実施形態は集合住宅の各住戸を防護区画とするスプリンクラー消火設備を例にとるものであったが、本発明はこれに限定されず、火災受信盤やスプリンクラー制御盤を監視室などに集中的に設けて構成されたビル設備に適用することもできる。
【００７０】
またスプリンクラー消火設備全体の構成としては、スプリンクラーヘッド６に対する配管に流水検知装置１６と制御弁１８を設けていればよく、それ以外の構成は異なる構成であってもよい。例えば流水検知装置１６と制御弁１８の位置は図４の従来設備のように制御弁を一次側に設けるようにしてもよい。
【００７１】
また制御弁は電導弁、電磁弁など配管路の開閉をできる弁構造のものであればよい。また本発明は、その目的と利点を損なわない適宜の変形を含み、更に上記の実施形態に示した数値による限定は受けない。更にスプリンクラー制御盤は、各住戸ごとに設けなくともよく、複数の防護区画の制御を行うようにしてもよい。
【００７２】
【発明の効果】
以上説明してきたように本発明によれば、火災報知設備の施工が完了せずに火災信号の移報線が接続されていない状態でスプリンクラー制御盤の施工が完了した場合でも、点検スイッチの操作で移報線の接続がないことによる断線検出状態にあっても、この断線検出状態による制限を受けることなく、点検スイッチの操作で制御弁を閉制御でき、制御弁の機能を点検できることによってスプリンクラー消火設備側の施工を火災報知設備の状態に関わらず完了させることができ、スプリンクラー制御盤の施工期間の短縮及び点検の省力化を図ることができる。
【図面の簡単な説明】
【図１】本発明の設備構成の説明図
【図２】図１のスプリンクラー制御盤による本発明の制御処理を示したフローチャート
【図３】図２の制御点検制御のフローチャート
【図４】従来設備の説明図
【符号の説明】
１：火災受信盤（住戸受信機）
２：中継器
３：感知器回線
４：火災感知器
５：スプリンクラー制御盤
６：閉鎖型スプリンクラーヘッド
７：分岐管
８：給水本管
９：消火ポンプ
１０：水源水槽
１１：空気タンク
１２：圧力スイッチ
１３：ポンプ制御盤
１４：モータ
１５：住棟受信盤
１６：流水検知装置
１８：制御弁
１９：高架水槽
２０：圧力スイッチ
２１：制御回路
２２：点検制御部
２３：緊急停止スイッチ
２４：点検スイッチ
２５：終端抵抗
２６：擬似障害スイッチ
２７：末端試験弁
２８：オリフィス
２９ａ，２９ｂ：移報入力端子
３０，３１：移報線
３２：移報線断線検出回路
【図１】
0004424570.tif 000002
【図２】
0004424570.tif 000003
【図３】
0004424570.tif 000004
【図４】
0004424570.tif 000005